【手続補正書】
【提出日】平成21年10月2日(2009.10.2)
【手続補正１】
【補正対象書類名】特許請求の範囲
【補正対象項目名】全文
【補正方法】変更
【補正の内容】
【特許請求の範囲】
【請求項１】
第２のＤＳＬ装置に結合される第１のＤＳＬ装置、および前記第１のＤＳＬ装置と前記第２のＤＳＬ装置との間のＤＳＬ管理インタフェースを備えるＤＳＬシステムを動作させる方法であって、前記ＤＳＬシステムが方法を使用する要求に応じて動作パラメータにタイムスタンプを添付するように構成される方法において、
第１のＤＳＬシステム構成要素が第２のＤＳＬシステム構成要素との調整イベント又は同期イベントの１つを開始するステップ、
前記第２のＤＳＬシステム構成要素が前記第１のＤＳＬシステム構成要素に対して前記イベントを確認するステップ、および
前記イベントを前記タイムスタンプのベースとして使用するステップ、
を含む方法。
【請求項２】
前記動作パラメータはデータパラメータである、請求項１に記載の方法。
【請求項３】
前記タイムスタンプは、以下：
フェーズＩＤ、又は
時間基準
のうちの少なくとも１つを含む、請求項１に記載の方法。
【請求項４】
前記フェーズＩＤは、前記データパラメータが最後に更新されたときの前記ＤＳＬシステムの前記動作モードの識別を含み、前記動作モードは以下：
診断、
通常初期化、又は
ショータイム（ＳＨＯＷＴＩＭＥ）
のうちの少なくとも１つを含む、請求項３に記載の方法。
【請求項５】
前記時間基準は、以下：
絶対時間、
１つ以上のフェーズ遷移との相対、又は
１つ以上のフェーズ定義イベントとの相対
のうちの少なくとも１つにより定義される時点を含む、請求項３に記載の方法。
【請求項６】
前記動作パラメータは、前記ＤＳＬシステムの動作の更新に使用される制御パラメータである、請求項１に記載の方法。
【請求項７】
前記タイムスタンプは、以下：
前記更新により初期化が強制されるか否かに関する情報、
前記更新がいつ実行され、且つ／又は実施されるかに関する情報、又は
既知の時間基準と前記更新の前記実行及び／又は実施との間の任意の遅延に関する情報
のうちの少なくとも１つを含む、請求項１に記載の方法。
【請求項８】
前記動作パラメータを添付するステップは、前記タイムスタンプに前記動作パラメータの名称及び前記動作パラメータの値を関連付けるステップを含む、請求項１に記載の方法。
【請求項９】
複数の動作パラメータをグループ化するステップ、および
前記複数の動作パラメータに前記タイムスタンプを添付するステップ、
をさらに含む、請求項１に記載の方法。
【請求項１０】
複数のタイムマーカを定義するステップ
をさらに含み、
前記タイムスタンプを前記動作パラメータに添付するステップは、前記複数のタイムマーカのうちの１つを前記動作パラメータに関連付けるステップを含む、請求項１に記載の方法。
【請求項１１】
ＤＳＬ管理エンティティとＤＳＬ装置との間のインタフェースの少なくとも部分として実施され、前記ＤＳＬ装置は、以下：
ＣＰＥモデム、
ＤＳＬＡＭ、
ＡＴＵ−Ｃ、
ＡＴＵ−Ｒ、
ＶＴＵ−Ｏ、
ＶＴＵ−Ｒ、
ｘＴＵ−Ｃ、
ｘＴＵ−Ｒ、
遠隔端末、
回線端末、
構成管理システム、
要素管理システム
モデム、又はネットワーク管理システム
のうちの少なくとも１つを含む、請求項１に記載の方法。
【請求項１２】
同期イベントの開始及び使用を介して前記動作パラメータにタイムスタンプを添付するステップは、
前記第１のＤＳＬシステム構成要素がコマンドを送信することにより前記第２のＤＳＬシステム構成要素からの１つ以上のパラメータの更新を要求するステップ、
前記第１のＤＳＬシステム構成要素がパラメータ読み取り動作を実行するステップ、および
前記第２のＤＳＬシステム構成要素が、前記更新要求の時間に対応して、値を有する任意の読み取りパラメータへ前記タイムスタンプを添付するステップ、
を含む、請求項１に記載の方法。
【請求項１３】
動作パラメータにタイムスタンプを添付するステップは、
第２のＤＳＬシステム構成要素からの読み取りコマンドに応答して、第１のＤＳＬシステム構成要素がタイムスタンプフィールドを添付するステップであって、前記タイムスタンプフィールドは、提供される任意のパラメータが測定された時間を示すステップをさらに含む、請求項１に記載の方法。
【請求項１４】
動作パラメータを提供するステップは、第１のデータ収集手続きに基づいて動作パラメータをＤＳＬオプティマイザに提供するステップを含む、請求項１に記載の方法。
【請求項１５】
第２のＤＳＬ装置に結合される第１のＤＳＬ装置を備えるＤＳＬシステムであって、
第１のＤＳＬシステム構成要素が第２のＤＳＬシステム構成要素からの１つ以上のパラメータの更新を要求すること、
前記第１のＤＳＬシステム構成要素がパラメータ読み取り動作を実行すること、および
前記第１のＤＳＬシステム構成要素が、前記更新要求の前記時間に対応する値を有するタイムスタンプを任意の読み取りパラメータに添付すること、
を含む方法を使用して動作パラメータにタイムスタンプを添付するように構成されるＤＳＬシステム。
【請求項１６】
第２のＤＳＬ装置に結合される第１のＤＳＬ装置を備えるＤＳＬシステムであって、
第２のＤＳＬシステム構成要素からの読み取りコマンドに応答して、第１のＤＳＬシステム構成要素がタイムスタンプフィールドを添付することであって、前記タイムスタンプフィールドは、提供される任意のパラメータが測定された時間を示すことを含む方法を使用して動作パラメータにタイムスタンプを添付するように構成されるＤＳＬシステム。
【請求項１７】
前記ＤＳＬシステムが第１のデータ収集手続きを使用する間、前記ＤＳＬシステムの性能を評価するステップ、
前記ＤＳＬシステム性能の前記評価に基づいて、前記ＤＳＬシステムの第２のデータ収集手続きを決定するステップ、および
前記第２のデータ収集手続きを使用するように前記ＤＳＬシステムの動作を適合させるステップ、
を含む、請求項１４に記載の方法。
【請求項１８】
前記ＤＳＬシステムの性能を評価するステップは、１つ以上の性能パラメータ値を測定し又は収集することの少なくとも１つを含む、前記ＤＳＬシステムの安定性を測定するステップを含む、請求項１７に記載の方法。
【請求項１９】
前記１つ以上の性能パラメータ値は表３又は表４のパラメータリストのうちの一方からのものである、請求項１８に記載の方法。
【請求項２０】
前記ＤＳＬシステムの安定性を測定するステップは、以下：
タイムスタンプから推測される到着時間間隔、
データレート、
ＳＮＲマージン、
各種レベルのエラー、
回線特性、
レイテンシパス特性、
ダウンストリームの現在のデータレート、
アップストリームの現在のデータレート、
ダウンストリームの実現可能な最大データレート、
アップストリームの実現可能な最大データレート、
再トレーニングカウント、
ダウンストリームのコード違反、
アップストリームのコード違反、
ダウンストリームのマージン、又は
アップストリームのマージン
のうちの少なくとも１つに対応する値を測定し又は収集するステップの少なくとも１つを含む、請求項１８に記載の方法。
【請求項２１】
前記第１のデータ収集手続きは、第１の収集頻度を使用してデータを収集するステップを含み、さらに、
前記第２のデータ収集手続きは、第２の収集頻度を使用するステップを含む、請求項１７に記載の方法。
【請求項２２】
前記ＤＳＬループは、複数の動作パラメータを使用して前記ＤＳＬシステムを操作して制御し、さらに、各データ収集手続きは、各動作パラメータについて、以下：
データ収集開始時間、
動作パラメータデータ点の最小数の要求、
データ収集期間、又は
データ収集終了時間
のうちの少なくとも１つを含む、請求項１７に記載の方法。
【請求項２３】
データ収集手続きを指定するＤＳＬ装置パラメータを作成するステップ、および
ＤＳＬ装置パラメータを複数のパラメータ値のベクタ型パラメータに変換するステップ、
を含み、
データ収集ベクタが一杯のときは常に、以下：
データ収集の停止、又は
各新データ収集値による前記データ収集ベクタ内の最古データ収集値の上書き
のうちの一方が行われる、請求項１７に記載の方法。
【請求項２４】
ＤＳＬオプティマイザが、ＴＣＰ／ＩＰベースのプロトコルを介して、前記ＤＳＬシステムのＣＰＥモデムに少なくとも１つの制御パラメータを提供し、且つ前記制御パラメータに関連するタイムスタンプを提供するステップ、
前記ＣＰＥモデムが、前記提供されるタイムスタンプで示される時間までの時間に前記提供される制御パラメータを使用するステップ、
をさらに含む、請求項１に記載の方法。
【請求項２５】
前記書き込み可能な制御パラメータは、以下：
Ｇ．９９７．１、
ＴＲ−０６９、又は
表３
のうちの少なくとも１つの下のパラメータである、請求項２４に記載の方法。
【請求項２６】
ＤＳＬ装置を提供するステップであって、前記ＤＳＬ装置は、該ＤＳＬ装置で測定されるデータパラメータを提供する要求をＤＳＬ管理エンティティから受け入れるステップ、
前記モデムの読み取り可能データパラメータとして少なくとも１つの動作パラメータを提供し、前記動作パラメータに関連するタイムスタンプを提供するステップ、
前記読み取り可能データパラメータに値を割り当てて、割り当て済みデータパラメータ値を作成するステップ、
タイムスタンプを前記読み取り可能データパラメータに割り当てるステップ、および
前記ＤＳＬ管理エンティティに前記割り当てられた値及び割り当てられたタイムスタンプを送信するステップ、
をさらに含む、請求項１に記載の方法。
【請求項２７】
前記動作パラメータは、以下：
表４、
表５、
Ｇ．９９７．１、又は
ＴＲ−０６９
のうちの少なくとも１つから選択される、請求項２６に記載の方法。
【請求項２８】
前記調整及び同期イベントが前記ＤＳＬ管理インタフェース上での通信の交換を含む、請求項１に記載の方法。
【請求項２９】
ＤＳＬループに結合されたＤＳＬ装置を動作させる方法であって、
インタフェースから動作データを得るステップ、
前記ＤＳＬ装置が、前記得られた動作データに基づいて複数のビットロードサブメソッドからビットロードサブメソッドを選択するステップ、および
前記ＤＳＬ装置が、前記選択されたビットロードサブメソッドを使用してビットロードを実行するステップ、
を含む方法。
【請求項３０】
前記ＤＳＬ装置は以下：
ＣＰＥモデム、ＤＳＬＡＭ、ＡＴＵ−Ｒ、ＡＴＵ−Ｃ、レジデンシャルゲートウェイ（ＲＧ）、モデム、ＤＳＬ中央オフィスチップセット、ＤＳＬ顧客構内機器チップセット、ｘＴＵ−Ｒ、ｘＴＵ−Ｃ、ＶＴＵ−Ｏ、ＶＴＵ−Ｒ、アクセスノード、ネットワーク端末、又は遠隔端末のうちの１つである、請求項２９に記載の方法。
【請求項３１】
前記複数のビットロードサブメソッドは以下：
マージンキャップモードを実施するビットロードサブメソッド、
ＤＳＬ規格を実施するビットロードサブメソッド、
通信規格を実施するビットロードサブメソッド、
最大ＳＮＲマージンに対して最悪の場合のＳＮＲマージンを最小化するビットロードサブメソッド、
サービス優先度を実施するビットロードサブメソッド
のうちの少なくとも１つを含み、
サービス優先度は、以下：
最悪の場合のＳＮＲマージンを最大ＳＮＲマージン未満に保つステップ、又は
各トーンＳＮＲマージンを最大ＳＮＲマージン未満に保つステップ
のうちの少なくとも１つを含む、請求項２９に記載の方法。
【請求項３２】
前記得られる動作データはＤＳＬマネージャからの制御信号を含み、前記制御信号は以下：
前記ＤＳＬマネージャからの制御ビット、
前記ＤＳＬマネージャからのコマンド、又は
前記ＤＳＬマネージャからの指示
のうちの少なくとも１つである、請求項２９に記載の方法。
【請求項３３】
前記動作データは、前記選択されたビットロードサブメソッドを示唆する前記ＤＳＬループの動作に関するデータを含む、請求項２９に記載の方法。
【請求項３４】
前記得られる動作データは以下：
表３からの１つ以上のパラメータ、又は
ＤＳＬ制御パラメータ
のうちの少なくとも１つを含む、請求項２９に記載の方法。
【請求項３５】
ＤＳＬループに結合されたＤＳＬ装置でビットロードを実行する方法であって、
前記ＤＳＬループが使用する各トーンｉのＭＡＲＧＩＮ［ｉ］を判断するステップ、
ＭＡＸＳＮＲＭをＭＡＲＧＩＮ［ｉ］と比較するステップ、および
ＭＡＲＧＩＮ［ｊ］がトーンｊ上のＭＡＸＳＮＲＭを超える場合、以下：
トーンｊの送信信号パワーレベルを低減するステップ、
トーンｊのビット数を増大させるステップ、
トーンｊの前記ビット数をゼロに低減するステップ
のうちの少なくとも１つを実行するステップ、
を含む方法。
【請求項３６】
以下：
トーンｊの送信信号パワーを低減するステップ、
トーンｊのビット数を増大させるステップ、
トーンｊの前記ビット数をゼロに低減するステップ
のうちの１つ以上を実行するステップは、性能ターゲットに達するまで続けられ、
前記性能ターゲットは以下：
ＭＡＲＧＩＮ［ｊ］とＭＡＸＳＮＲＭとの差を無くすステップ、
ＭＡＲＧＩＮ［ｊ］がＭＡＸＳＮＲＭを超える量を最小化するステップ、又は
ＭＡＲＧＩＮ［ｊ］がＭＡＸＳＮＲＭを超える量を所定のレベルまで軽減するステップ
のうちの１つである、請求項３５に記載の方法。
【請求項３７】
前記複数のビットロードサブメソッドのうちの少なくとも１つは、前記ＤＳＬ装置が使用する各トーンのビット数及びエネルギーレベルを判断するビットロードサブメソッドを含む、請求項２９に記載の方法。
【請求項３８】
前記インタフェースは前記ＤＳＬ装置とＤＳＬマネージャとを結合する、請求項２９に記載の方法。
【請求項３９】
以下：
前記ＤＳＬ装置の初期化、又は
前記ＤＳＬ装置のショータイム動作
のうちの少なくとも１つの間に実行される、請求項２９に記載の方法。
【請求項４０】
前記ＤＳＬ装置は以下：
指示情報であって、
マージンキャップモードサポート、
マージンキャップモードサポートの欠如、又は
利用可能なマージンキャップモードがイネーブルされているか、それともディセーブルされているか
のうちの少なくとも１つに関する指示情報、又は制御情報のうちの少なくとも１つをＤＳＬマネージャに提供する、請求項２９に記載の方法。
【請求項４１】
前記得られる動作データは、前記ＤＳＬループで使用される機器に関する機器情報に基づき、前記機器は１つ以上のＤＳＬ装置を含む、請求項２９に記載の方法。
【請求項４２】
前記動作データは、前記ＤＳＬループからＤＳＬマネージャにより得られる情報に基づき、前記動作データは、以下：データレート、ＳＮＲマージン、バンドプリファレンス、各種レベルのエラー、回線特性、レイテンシパス特性、ダウンストリームの現在のデータレート、アップストリームの現在のデータレート、ダウンストリームの実現可能な最大データレート、アップストリームの実現可能な最大データレート、ダウンストリームの再トレーニングカウント、アップストリームの再トレーニングカウント、ダウンストリームのコード違反、アップストリームのコード違反、ダウンストリームのマージンカウント、又はアップストリームのマージンカウントのうちの少なくとも１つに関する情報を含む、請求項２９に記載の方法。
【請求項４３】
請求項２９〜４２のうちの少なくとも１つの中から少なくとも１つの方法を実行するように構成される、処理ユニットを備えるＤＳＬ装置。
【請求項４４】
前記ＤＳＬ装置はＤＳＬモデム又はＤＳＬＡＭである、請求項４３に記載のＤＳＬ装置。
【請求項４５】
機械可読媒体と、
該機械可読媒体に含まれ、請求項２９〜４２に記載の少なくとも１つの方法を含む、ＤＳＬシステムを動作させる方法を指定するプログラム命令と、
を含むコンピュータプログラム製品。
【請求項４６】
選択されたビットロードを使用してビットロードを実行するように構成されるＤＳＬ装置であって、前記ビットロードは、
ＤＳＬループが使用する各トーンｉのＭＡＲＧＩＮ［ｉ］を判断すること、
ＭＡＸＳＮＲＭをＭＡＲＧＩＮ［ｉ］と比較すること、および
ＭＡＲＧＩＮ［ｊ］がトーンｊ上のＭＡＸＳＮＲＭを超える場合、以下：
トーンｊの送信信号パワーを低減すること、
トーンｊのビット数を増大させること、
トーンｊの前記ビット数をゼロに低減すること
のうちの１つ以上を実行すること、
を含む、ＤＳＬ装置。
【請求項４７】
以下：
トーンｊの送信信号パワーを低減すること、
トーンｊのビット数を増大させること、
トーンｊの前記ビット数をゼロに低減すること
のうちの１つ以上の実行は、性能ターゲットに達するまで続けられ、
前記性能ターゲットは以下：
ＭＡＲＧＩＮ［ｊ］とＭＡＸＳＮＲＭとの差を無くすこと、
ＭＡＲＧＩＮ［ｊ］がＭＡＸＳＮＲＭを超える量を最小化すること、又は
ＭＡＲＧＩＮ［ｊ］がＭＡＸＳＮＲＭを超える量を所定のレベルまで軽減すること
のうちの１つである、請求項４６に記載のＤＳＬ装置。